(57)【要約】【課題】  本発明は、フィルタ装置に付着した粉塵を除塵する駆動モーターによる除塵装置を有する可般形集塵機であって、駆動モーターを含めた除塵装置の防塵、さらには防水性を向上し、寿命向上をはかることである。【解決手段】  除塵装置を構成する駆動モーターを減速する減速機から突出した出力軸部の適所に、シール部材を配設する、また除塵ホルダに支持された前記駆動モーターを覆うガード部材、駆動モーターを減速する減速機をシール部材で覆うことにより達成される。【選択図】図１
2008228935.tif 000002
【特許請求の範囲】
【請求項１】
モーターと該モーターの駆動により回転する集塵ファンをヘッド部に収納し、前記集塵ファンの回転により吸引された粉じん等を搬送するダクトホースと搬送した粉じん等を溜めるタンクを前記ヘッド部の下方に配置し、該タンクに前記ダクトホースを着脱する吸込口を有し、前記タンク内部には吸引した粉塵をろ過するフィルタ装置を設け、さらに該フィルタ装置の内側除塵ホルダに支持された粉塵を除塵する除塵装置が設けてある可搬形集塵機において、
前記除塵装置は駆動モーターと、該駆動モーターを減速する減速機と、該減速機から突出した出力軸に固着された除塵部材とから構成され、前記駆動モーター及び前記減速機の適所にシール部材を設けたことを特徴とする可搬形集塵機。
【請求項２】
前記駆動モーターを減速する前記減速機から突出した出力軸部の適所にシール部材を配設したことを特徴とする請求項１記載の可搬形集塵機。
【請求項３】
前記駆動モーターの全体を覆うガード部材を設け、その下部に連結された駆動モーターを減速する減速機を除塵ホルダで支持し、前記ガード部材、前記減速機、前記除塵ホルダごとシール部材で覆うようにしたことを特徴とする請求項１又は２記載の可搬形集塵機。
【請求項４】
前記シール部材は、前記除塵装置を位置決めできるようにしたことを特徴とする請求項１乃至請求項３のいずれかに記載の可搬形集塵機。
【発明の詳細な説明】
【技術分野】
【０００１】
本発明は、吸引風をろ過するフィルタ装置に付着した粉塵を除塵する除塵装置の密封性に関するものである。
【背景技術】
【０００２】
従来の技術を図５及び図６を用いて説明する。
【０００３】
従来の可般形集塵機は、モーター１と該モーター１に直結された集塵ファン２及び前記モーター１の起動・停止を行うスイッチ３をヘッド部７に配置する。該ヘッド部７はモーター１と集塵ファン２の形状により上方から見てほぼ円形状としている。前記円形状をしたヘッド部７の下部に吸引した粉塵等５をためる底面を有したタンク６を配置し、粉塵等５を搬送するダクトホース４を着脱する吸込口が前記タンク６の適所に設けてある。さらにタンク６内部のほぼ中央部にはヘッド部７に固着された吸引した粉塵をろ過する断面蛇腹によるほぼ円形状のフィルタ装置８を設け、前記フィルタ装置８の内部には除塵装置１０が除塵ホルダ９により保持され、該除塵ホルダ９はヘッド部１０に固着されている。前記除塵装置１０は駆動モーター１１と該駆動モーター１１を減速する減速機１２を有し、該減速機１２から突出した出力軸１３の先端には、回転することで前記フィルタ装置８の断面蛇腹による円形状部が振動することで、粉塵を除塵するよう構成されている。前記除塵装置１０は駆動モーター１１の下部に連結させた減速機１２ごと前記除塵ホルダ９に固着している。該減速機１２から下方に突出させた出力軸１３を設け、該出力軸１３先端に除塵部材１５を固着している。該除塵部材１５はヘッド部７に設けた押しボタンスイッチ１６を押すことにより、駆動モーター１１が起動し減速機１２を介して、除塵部材１５が回転する。
【０００４】
上記構成においてスイッチ３をＯＮすると、モーター１が起動し、集塵ファン２が回転し、タンク６を介してダクトホース４内に吸引力が発生する。粉塵等５は、吸引力によりダクトホース４を通過し、タンク６内に吸引されフィルタ装置８によりろ過され、比較的大きな粉塵はフィルタ装置８の表面に付着し、微細な粉塵と空気のみフィルタ装置８の内部に侵入し、集塵機の本体外に排出される。粉塵を継続して吸引し続けると、フィルタ装置８表面全体に粉塵が付着し空気の通過もできにくくなり、ダクトホース４内の吸引力が微弱になり吸引不能になる。このような場合はヘッド部７の押しボタンスイッチ１６を押すことにより、駆動モーター１１が起動し減速機１２を介して除塵部材１５が回転しフィルタ装置８が振動して、フィルタ装置８表面の粉塵が脱落する。粉塵が脱落することでフィルタ装置８部を空気が通過しやくすなり、ダクトホース４内の吸込み力が回復する。上記したように除塵装置１０はフィルタ装置８の内部に設置されているが、フィルタ装置８を通過する微細な粉塵が浮遊する環境であり、特に駆動モーター１１の風窓、駆動モーター１１と減速機１２の合わせ部、減速機１２から突出した出力軸１３の軸受け部から粉塵が侵入してしまい、故障することが散発していた。
【０００５】
また乾いた粉塵専用の集塵機においては、誤操作により液体を吸引したとき一気に駆動モーター１１、減速機１２内に水が浸入して故障することも散発していた。
【発明の開示】
【発明が解決しようとする課題】
【０００６】
上記したように従来技術では、フィルタ装置内部に微細な粉塵が侵入するとフィルタ内部に位置する除塵装置の可動部の各隙間(駆動モーターと減速機の合わせ部、減速機から突出した出力軸を支持する軸受け部等)から微細な粉塵が内部に侵入する。微細な粉塵の侵入により、駆動モーター内部の回転子と固定子がロックする、また減速機内部の歯車間に噛み込みロック、軸受け部の異音等により損傷する問題が散発していた。
【０００７】
本発明の目的は、上記した従来技術の欠点をなくし除塵装置の密封性を向上させ、寿命向上をはかる。
【課題を解決するための手段】
【０００８】
上記目的は、除塵装置を構成する可動部（駆動モーター、減速機）の密封性を向上するシール部材を適所に設けることにより達成される。
【発明の効果】
【０００９】
本発明によれば、駆動モーターを減速する減速機から突出した出力軸部の適所にシール部材（Ｏリング、メカニカルシール等）を配設したため、減速機の出力軸の特に軸受け部への密封性が向上し、粉塵に対する寿命向上をはかることができる。
【００１０】
また駆動モーター全体を覆うガード部材を設け、その下部に連結された駆動モーターを減速する減速機を除塵ホルダで支持し、前記駆動モーターを覆うガード部材、減速機、前記除塵ホルダごとシール部材（ウレタン、シリコン等）で覆うようにしたため、除塵装置全体の密封性が向上し、粉塵に対する寿命向上をはかることができる。
【００１１】
さらには前記メカニカルシール、シール部材(ウレタン、シリコン等）を追加するだけのため、安価にて上述の効果を奏でることができる。
【発明を実施するための最良の形態】
【００１２】
本発明の一実施形態を図１〜４により説明する。
【００１３】
モーター１と該モーター１に直結された集塵ファン２及び前記モーター１の起動・停止を行うスイッチ３をヘッド部７に配置する。該ヘッド部７はモーター１と集塵ファン２の形状により上方から見てほぼ円形状としている。前記円形状をしたヘッド部７の下部に吸引した粉じん等５をためる底面を有したタンク６を配置し、粉塵等５を搬送するダクトホース４を着脱する吸込口９が前記タンク６の適所に設けてある。さらにタンク６内部のほぼ中央部にはヘッド部７に固着された吸引した粉塵をろ過する断面蛇腹によるほぼ円形状のフィルタ装置８を設け、前記フィルタ装置８の内部には除塵装置１０が除塵ホルダ９により保持され、該除塵ホルダ９はヘッド部７に固着されている。前記除塵装置１０は駆動モーター１１と該駆動モーター１１を減速する減速機１２を有し、該減速機１２から突出した出力軸１３の先端には回転することで前記フィルタ装置８の断面蛇腹による円形状部が振動することで、粉塵を除塵するよう構成されている。前記除塵装置１０は駆動モーター１１の下部に連結させた減速機１２ごと前記除塵ホルダ９に固着している。該減速機１２から下方に突出させその途中にメカニカルシール１４を設けた出力軸１３を設け、該出力軸１３先端に除塵部材１５を固着している。該除塵部材１５はヘッド部７に設けた押しボタンスイッチ１６を押すことにより、駆動モーター１１が起動し減速機１２を介して、除塵部材１５が回転する。
【００１４】
上記構成においてスイッチ３をＯＮすると、モーター１が起動し、集塵ファン２が回転し、タンク６を介してダクトホース４内に吸引力が発生する。粉塵等５は、吸引力によりダクトホース４を通過し、タンク６内に吸引されフィルタ装置８によりろ過され、比較的大きな粉塵はフィルタ装置８の表面に付着し、微細な粉塵と空気のみフィルタ装置８の内部に侵入し、集塵機の本体外に排出される。粉塵を継続して吸引し続けると、フィルタ装置８表面全体に粉塵が付着し空気の通過もできにくくなり、ダクトホース４内の吸引力が微弱になり吸引不能になる。このような場合はヘッド部７の押しボタンスイッチ１６を押すことにより、駆動モーター１１が起動し減速機１２を介して除塵部材１５が回転しフィルタ装置８が振動して、フィルタ装置８表面の粉塵が脱落する。粉塵が脱落することでフィルタ装置８部を空気が通過しやくすなり、ダクトホース４内の吸込み力が回復する。上記したように除塵装置１０はフィルタ装置８の内部に設置されているが、フィルタ装置８を通過する微細な粉塵が浮遊する環境であり、減速機１２から突出した出力軸１３に設けたメカニカルシール１４により密封されているため、減速機１２内部に粉塵は入らない。よって減速機１２の寿命向上をはかることができる。また本可般形集塵機は粉塵吸引専用であるが、誤操作により液体を吸引しても上記メカニカルシール１４により密封され減速機１２内に入ることがないため、液体侵入による故障に至ることがない。
【００１５】
また駆動モーター１１全体を覆うガード部材１７を設け、その下部に連結された駆動モーター１１を減速する減速機１２を除塵ホルダ９で支持し、前記駆動モーター１１を覆うガード部材１７、減速機１２、前記除塵ホルダ９ごとシール部材(ウレタン、シリコン等)１８で覆う方法もある。上記から駆動モーター１１の風窓部、駆動モーター１１と減速機１２の合わせ部等の密封性がさらに向上し、防塵性の向上により除塵装置の寿命向上をはかることができる。
【００１６】
また減速機１２から突出した出力軸１３の適所に設けたメカニカルシール１４に替えて、Oリングでも良い。
【００１７】
また、前記メカニカルシール１４、シール部材(ウレタン、シリコン等）１８を追加するだけのため、安価にて上述の効果を奏でることができる。
【００１８】
シール部材（ウレタン、シリコン）１８に替えて、硬度の高いエポキシ系接着剤、あるいは樹脂を使用することにより、駆動モーター１１と減速機１２を保持する除塵ホルダ９の剛性向上をはかるとともに、除塵装置の位置決めをすることができる。
【図面の簡単な説明】
【００１９】
【図１】本発明になる集塵機の一実施形態を示す一部断面を含む側面図である。
【図２】図１の部分拡大図である。
【図３】本発明になる集塵機の一実施形態を示す部分拡大図である。
【図４】本発明になる集塵機の一実施形態を示す正面図である。
【図５】従来技術となる一部断面を含む側面図である。
【図６】図５の部分拡大図である。
【符号の説明】
【００２０】
１はモーター、２は集塵ファン、３はスイッチ、５は粉塵、６はタンク、７はヘッド部、８はフィルタ装置、９は除塵ホルダ、１０は除塵装置、１１は駆動モーター、１２は減速機、１３は出力軸、１４はメカニカルシール、１５は除塵部材、１７はガード部材、１８はシール部材（ウレタン、シリコン等）である。
【図１】
2008228935.tif 000003
【図２】
2008228935.tif 000004
【図３】
2008228935.tif 000005
【図４】
2008228935.tif 000006
【図５】
2008228935.tif 000007
【図６】
2008228935.tif 000008